(57)【特許請求の範囲】
【請求項１】
窓と窓枠を有する文字板と、
該文字板に配置され、該窓から視認可能な表示体と、
前記文字板下に配置され、前記窓枠に対応した窓穴を有するシート部材と、を有し、
さらに、
前記窓枠は前記文字板下面方向に突出部を有し、
該突出部の厚さが前記シート部材の厚さ以上であり、
該突出部の厚さ内に前記シート部材が配置され、
前記シート部材の窓穴に前記突出部が位置し、
前記窓枠は、断面方向で、
前記窓枠穴側の前記文字板下面側の直線部と、上面側の傾斜部で構成され、
前記直線部が前記突出部の厚み内で構成される
ことを特徴とする時計。
【請求項２】
前記窓枠は前記文字板と別個の部材で構成される
ことを特徴とする請求項１に記載の時計。
【請求項３】
窓と窓枠を有する文字板と、
該文字板に配置され、該窓から視認可能な表示体と、
前記文字板下に配置され、前記窓枠に対応した窓穴を有するシート部材と、を有し、
さらに、
前記窓枠は前記文字板下面方向に突出部を有し、
該突出部の厚さが前記シート部材の厚さ以上であり、
該突出部の厚さ内に前記シート部材が配置され、
前記シート部材の窓穴に前記突出部が位置し、
前記窓枠は前記文字板と一体形成されることを特徴とする時計。
【請求項４】
窓と窓枠を有する文字板と、
該文字板に配置され、該窓から視認可能な表示体と、
前記文字板下に配置され、前記窓枠に対応した窓穴を有するシート部材と、を有し、
さらに、
前記窓枠は前記文字板下面方向に突出部を有し、
該突出部の厚さが前記シート部材の厚さ以上であり、
該突出部の厚さ内に前記シート部材が配置され、
前記シート部材の窓穴に前記突出部が位置し、
前記文字板が光透過性部材を基材とし、
前記シート部材が、発光部材、もしくは光発電部材であることを特徴とする時計。
【請求項５】
前記シート部材の前記窓穴回りに形成される非発光・非発電部が、
前記窓枠の平面領域内に配置される
ことを特徴とする請求項４に記載の時計。
【発明の詳細な説明】
【技術分野】
【０００１】
本発明は、ソーラーセルなどのシート部材を文字板下に配置し、文字板に窓と窓枠を有する電子時計に関する。
【背景技術】
【０００２】
発電手段としてのソーラーセルを光透過性文字板の下に配置した電子時計は公知であり、日板により日を表示し、文字板に日板を視認するための窓と、窓枠を有する時計もまた公知である。
【０００３】
始めに、図４、図５を用いて、従来技術の説明を行う。
【０００４】
図５は、従来の窓、または窓枠を有する一般的なソーラーセル付電子時計の断面図である。
１０は光透過性部材を基材とする文字板で、図示しない地板またはプラスチック部材（以下、プラ部材）に圧入固定される。
２１は金属またはプラスチック製の窓枠で装飾的効果から使用され、文字板１０に圧入固定される。
【０００５】
１３は日板（日車）(以下、日板)で、図示しない日板押えと図示しない地板間に回転可能に保持されている。
【０００６】
２２はソーラーセルで、文字板１０と日板１３の間に介在し図示しないプラ部材に保持される。
【０００７】
図４は、従来例に使用されるソーラーセルの上面図である。以下にソーラーセル２２の構成を説明する。
【０００８】
２２ａは基材で非発電部となる。２２ｂは基材２２ａ上に形成される配線部で非発電部である。２２ｃは基材２２ａ上に形成された発電部である。２２ｄは日板１３を表示するための窓部穴であり、周囲に発電しない基材２２ａと配線部２２ｂの縁を有し、さらにその周囲が発電部２２ｃの領域となる。
【０００９】
図５のｂ寸法指示部は、ソーラーセル２２の窓部２２ｄ周辺の非発電領域である基材２２ａと配線部２２ｂの寸法を示し、ｃ寸法指示部は窓枠２１と平面的に重なる発電部２２ｃを示す。ソーラーセル２２の窓枠２１の下に配置される部分は光が通過しないため、ソーラーセル２２の発電部２２ｃのｃ寸法領域は発電に寄与しない。
ところで、図５のａ寸法指示部は、文字板下面から表示部上面までの距離を示す。文字板１０と、日板１３間にソーラーセル２２が介在すると、ａ寸法指示部は一次電池の時計よりも長くなってしまう。そのため日付、曜日等の表示部は奥目感を感じる外観となってしまっていた。
【００１０】
またａ寸法指示部が長くなると、表示部を少し斜めから見た場合、当日以外の日付、曜日が見えやすくなる。この問題を解決し、斜視しても当日以外の表示を見えにくくする文字板窓枠に関する内容が特許文献１に開示されている。
【００１１】
特許文献１には、文字板と表示部の間に耐磁板が介在する一次電池の時計において、少
し斜めから見ても、当日の日付、曜日以外の表示が見えにくい窓枠の技術が開示されている。
【先行技術文献】
【特許文献】
【００１２】
【特許文献１】実開昭５２−６９２７１号公報（第５図）
【発明の概要】
【発明が解決しようとする課題】
【００１３】
しかしながら、携帯性に優れる腕時計は、そのサイズの小ささから日付、曜日表示は小さくなってしまうため、少しでも見やすくしてほしいとの要望がある。
【００１４】
特に、特許文献１で開示されている、当日の日付、曜日以外の表示が見えにくい窓枠構造は、余計な物が見えないため時計を見やすくする有効な手段であるが、日付、曜日の表示部の奥目感を解消するための具体的な構造は開示していない。
【００１５】
本発明は、ソーラーセルなどのシート部材を文字板下に配する電子時計において、奥目感を解消し、特許文献１記載の窓枠構造よりも、更に日付、曜日を見やすくすること目的とする具体的な窓構造を提案する。
【課題を解決するための手段】
【００１６】
上記を達成するための本発明は、
窓と窓枠を有する文字板と、
該文字板に配置され、該窓から視認可能な表示体と、
前記文字板下に配置され、前記窓枠に対応した窓部を有するシート部材と、を有し、
さらに、
前記窓枠は前記文字板下面方向に突出部を有し、
該突出部の厚さが前記シート部材の厚さ以上であり、
該突出部の厚さ内に前記シート部材が配置され、
前記シート部材の窓部に前記突出部が位置することを特徴とする。
前記窓枠は、断面方向で、前記窓枠穴側の
前記文字板下面側の直線部と、上面側の傾斜部で構成され、
前記直線部が前記突出部の厚み内で構成されることを特徴とする。
前記窓枠は前記文字板と別個の部材で構成されることを特徴とする。
前記窓枠は前記文字板と一体形成されることを特徴とする。
前記文字板が光透過性部材を基材とし、
前記シート部材が、発光部材、もしくは光発電部材であることを特徴とする。
前記シート部材の前記窓部回りに形成される非発光・発電部が、
前記窓枠の平面領域内に配置されることを特徴とする。
【発明の効果】
【００１７】
以上のように本発明によれば、以下のような効果がある。
（１）前記窓枠の断面方向にて、前記文字板下面側の窓枠突出部の厚み内で、窓枠穴側の直線部が形成される窓枠のため、傾斜部分をより表示部の表示面に近づける事が出来る。そのため前記表示部の表示面全体により多く光りが入り奥目感を解消できる。
（２）また、前記窓枠突出部の厚みが前記シート部材の厚み以上で形成されるにより、前記表示部の表示面と前記窓枠突出部との隙間が詰められるため、光の影が表示部の表示面縁に映りづらく、奥目感を解消できる。
（３）窓枠は金属製またはプラスチック製で、装飾のため上面はメッキつけられる。そのため窓枠下のソーラーセルは光が当たらず非発電領域となる。しかしソーラーセルの非発
電部は、窓枠の平面領域内に収まるため、発電量に影響しない。
【図面の簡単な説明】
【００１８】
【図１】本発明の第１実施形態による文字板窓枠構造を示す断面図である。
【図２】本発明の第１実施形態による文字板窓枠構造を示す部分拡大図である。
【図３】本発明の第１実施形態による文字板窓枠構造を示す上面図である。
【図４】従来におけるソーラーセルの上面図である。
【図５】従来の一実施形態による文字板窓枠構造を示す断面図である。
【図６】本発明の第１実施形態による変形例１の文字板窓枠構造を示す断面図である。
【発明を実施するための形態】
【００１９】
以下、図面を参照して、この発明にかかる文字板の窓及び窓枠構造の好適な実施の形態を詳細に説明する。
【００２０】
（実施例１）
図１は、本発明の第１の実施形態にかかる断面図である。図５と同じ構成については、同一番号を付し、説明を省略する。
【００２１】
１１は金属製またはプラスチック製の窓枠で、文字板１０に圧入固定されている。１１ｃは窓枠の文字板下面より突出する窓枠下面突出部である。１１ｄは文字板上面より突出する窓枠上面突出部で、装飾用に設けられており、一般的に表面は装飾用にメッキされる。
【００２２】
窓枠１１はプラスチック製の文字板で一体化しても良く、窓枠部の装飾は、メッキまたは、装飾部材を貼り付けても良い。
【００２３】
１２はソーラーセルであり、図示しないプラ部材で保持され、窓部下面突出部１１ｃを平面的に逃げ、断面方向で窓部下面突出部１１ｃの厚み内に配置される。すなわち、窓部下面突出部１１ｃの突出量はソーラーセル１２の厚み以上に形成される。
【００２４】
なお、本実施例で使用するソーラーセル１２と、従来で使用するソーラーセル２２の違いは、窓枠１１との配置関係から、ソーラーセル１２はソーラーセル２２に比べ窓穴１２ｄのサイズが大きくなる違いがあるが、ソーラーセルの構成自体は、従来技術である図４と同じであるため、その説明を省略する。
【００２５】
ただし、ソーラーセル１２の基材部２２ａ，配線部２２ｂ，発電部２２ｃ，窓部２２ｄに相当する箇所をそれぞれ、基材部１２ａ，配線部１２ｂ，発電部１２ｃ，窓部１２ｄと呼ぶこととする。
【００２６】
１１ａは断面方向にて文字板１０の下面側に形成され、窓枠１１の日板１３の表示面に対し直行する直線部である。
【００２７】
図２は、図１の部分拡大図である。
図２に示すように、直線部１１ａは窓部下面突出部１１ｃの突出量内で形成される。具体的には、文字板下面１０ａから窓部下面突出部１１ｃの下面１１ｅまでの距離をｔ１、直線部１１ａの長さをｔ２とした場合に、ｔ１＞ｔ２である。
１１ｂは断面方向にて文字板１０の上面側に形成され、窓枠１１の窓穴を開口するための傾斜部である。
【００２８】
図３は、本発明の第１実施形態にかかる文字板窓枠部上面図である。
点線部は、文字板下に配置されるソーラーセル１２の上面を示している。窓枠１１の平面領域内に、ソーラーセル１２の窓部２２ｄ周辺の非発電領域である基材２２ａと配線部２２ｂの寸法を示すｂ寸法指示部が配置されている。
またｃ´寸法指示部は、窓枠２１と平面的に重なる発電部２２ｃの領域を示す。
【００２９】
図３に示すように、平面視で窓枠１１の領域内にソーラーセル１２の非発光部１２ａ、１２ｂが収まっている。前述のように、ソーラーセル１２の窓枠１１と平面視で重なっている部分は発電に寄与しない。従って、平面視で窓枠１１の領域内にソーラーセル１２の非発光部１２ａ、１２ｂが収まっている本実施例は、発光部１２ｃ自体の面積は減少しているものの、その発電量は図４で示す従来例と同じ発電量を確保することが出来る。
【００３０】
本第１実施例は、以下のような効果を有する。
（１）窓枠の断面方向にて、文字板下面側の窓枠突出部の厚み内で、窓枠穴側の直線部が形成される前記窓枠のため、前記窓枠の傾斜部分をより日板上面側に近づけて取れる。
【００３１】
その結果、前記日板の表示部の表面部全体を縁付近までより多く光で明るく照らすことが出来、奥目感が解消できる。
（２）窓枠の断面方向にて、文字板下面側の前記窓枠突出部の厚みが、文字板と日板間に介在するソーラーセルの厚み以上に形成されることにより、前記窓枠突出部と前記日板の表示面との隙間が詰められるため、窓枠等の余分な光の影が、前記日板の表示部の表面部の縁に映りづらく、奥目感を解消できる。
（３）本発明のソーラーセル窓穴は、窓枠の窓部下面突出部を平面的に逃げているため、従来に比べ大きくなる。
【００３２】
しかも、前記窓枠は装飾のため上面はメッキされ、あるいは非透光性部材で形成されるので、前記窓枠下のソーラーセルは光が当たらず非発電領域となる。
しかし、前記ソーラーセル窓縁に形成される非発電部の基材と配線部は、前記窓枠の平面領域内に収められるため、前記ソーラーセル窓穴が従来に比べ大きくなっても発電量に影響しない。
【００３３】
（変形例１)
図６は、本発明の一実施形態の変形例１の窓部断面図である。２０は透光性部材製の文字板である。
【００３４】
実施例１の窓枠１１が文字板１０と別体に構成されていたのに対し、本変形例１は、窓枠が文字板２０と一体に構成されている。
【００３５】
文字板２０窓部下面には突出部２０ｃを設け、本発明の窓枠１１と同じ構造とする。３１は装飾用のメッキまたは装飾板であり、文字板２０に塗布または貼り付けられる。本変形例１でも、窓枠構造を一体化した文字板２０も奥目感を解消できる。
【００３６】
本変形例１は、窓が文字板の色となるため、専用の窓枠部材を使用する実施例１に比べ高級感で劣るが、文字板２０に窓枠と突出部を一体に形成し、専用の窓枠部材が不要なため、部品点数を削減することが可能となる。また、装飾板３１を使用する場合でも、窓枠部材より安価に製造できる。
【００３７】
（変形例２）
今までの実施例は、シート状部材をソーラーセルとして記してきたが、本発明はこれには限定されない。例えば、ソーラーセルの代わりに発光部材であるＥＬ（エレクトロルミネセンス）シートを配置した時計に適用しても良い。この場合、ソーラーセルにおける非
発電部は非発光部、発電部は発光部となる。窓枠を除いた部分の発光量が、本発明と従来技術で差が無い点も同じである。
また、奥目間解消に関しては、耐磁板に対しても適用可能である。
【００３８】
（変形例３）
本実施例では、表示体として日板で説明してきたが、当然これに限定されない。表示体としては日板の他に、曜板、月齢板、都市表示板などが使用できる。また、複数の表示体を持つ時計にも適用可能である。複数の表示体、例えば、日板と曜板を使用する場合、１つの窓に両者を表示したもの、別個の窓に表示したもの、両方の場合に本発明の適用が可能である。
【符号の説明】
【００３９】
１０      文字板
１１      窓枠
１２      本発明例で使用のソーラーセル
１３      日板（日車）
２０      窓枠一体化文字板
２２      従来例で使用のソーラーセル
３１      メッキまたは装飾板
【図１】
0005602645.tif 000002
【図２】
0005602645.tif 000003
【図３】
0005602645.tif 000004
【図４】
0005602645.tif 000005
【図５】
0005602645.tif 000006
【図６】
0005602645.tif 000007